(57)【特許請求の範囲】
【請求項１】
図柄表示部と、図柄表示に関する図柄データ及び制御プログラムを格納する記憶手段とを有する図柄表示装置を備え、図柄表示部が、遊技の演出を行う図柄を表示する図柄表示パネルと、記憶手段に格納された図柄データ及び制御プログラムに基づいて図柄表示パネルに図柄を表示させるための制御手段及び画像処理手段を有した図柄表示制御部とを備えたパチンコ機において、遊技盤が取付けられる開閉枠に図柄表示部が取付部材を介して取付けられ、かつ、記憶手段が遊技盤に取付けられたことを特徴とするパチンコ機。
【発明の詳細な説明】
【０００１】
【発明の属する技術分野】
本発明は、図柄表示装置を備えたパチンコ機に関する。
【０００２】
【従来の技術】
図２に示すように、パチンコ機の遊技盤１の裏面１Ｂには、例えば、下側部品取付体２を介して遊技機の遊技を全般的に制御するための主制御装置３が取付けられ、また、上側部品取付体４を介して遊技機の図柄表示装置５，遊技機の各種表示灯を制御する表示灯制御装置６，遊技機の効果音等の出力を制御する音制御装置７等の遊技部品が取付けられている。開閉枠８は図示しない島に固定される固定枠９に上下ヒンジ１０，１１を介して片開き可能に取付けられる。開閉枠８は、開閉枠本体８０と開閉枠本体８０の裏面８１に取付けられたリアプレートと呼ばれる裏機構板８２より成り、裏機構板８２は、遊技盤１の裏面１Ｂに取付けられる上記遊技部品を遊技機の裏側に突出させるための開口部８３を備える。ゲージ盤と呼ばれる遊技盤１は、開閉枠本体８０と裏機構板８２との間に形成される遊技盤収納空間８４に取付けられる。また、裏機構板８２の上側にはタンク１２及び球誘導樋１３等が取付けられ、上記ヒンジ１０，１１側の裏機構板８２の側部側には図示しないヒンジを介して球払出機構１４が取付けられている。タンク１２からの球は球誘導樋１３を介して球払出機構１４に送られる。球払出機構１４には、遊技盤収納空間８４に取付けられた遊技盤１の裏面１Ｂから裏機構板８２の開口部８３を介して遊技機の裏側に突出する上記遊技部品を被うリアカバー１５が取付けられている。裏機構板８２の下側には球発射制御装置１６、球払出制御装置１７等が取付けられている。また、上側部品取付体４及び下側部品取付体２により、遊技盤１に設けられた入賞装置等を介して遊技盤１の裏側に導かれる球が球回収樋（図示せず）に誘導される。
遊技機の縦断面である図３に示すように、遊技盤１の略中央には、図柄表示装置５を遊技盤１の前面１Ｆ側に臨ませるための孔２０が設けられ、図柄表示装置５はこの孔２０内に入りこむような状態となるように上側部品取付体４に取付けられている。即ち、図柄表示装置５の取付ブラケット５ａを介して図柄表示装置５は上側部品取付体４にねじ等で取付けられている。遊技盤１の前面１Ｆにはセンター飾り２１が設けられ、このセンター飾り２１には上記孔２０を塞ぐ透視性パネル２２が設けられている。尚、図３及び後述の図１では、遊技盤１及び裏機構板８２の裏側に取付けられている遊技部品のうち、図柄表示装置と部品取付体以外の遊技部品の図示は省略している。
図柄表示装置５は、図柄表示部５１と図柄表示に関する図柄データ及び制御プログラムを格納する記憶手段５２とを備える。図柄表示部５１は、液晶パネルやＬＥＤ等の図柄表示パネル５１ａと図柄表示制御部５１ｂとから構成される。また、図示しないが、図柄表示制御部５１ｂは、制御手段（ＣＰＵ）と画像処理手段（ＶＤＰ）とから構成され、制御手段は制御プログラムに基づいて画像処理手段に制御信号を送り、画像処理手段は制御信号に基づいて図柄データをアクセスし、所望の図柄を図柄表示パネル５１ａに表示させる。
尚、図３において、３０はガラス等の前面パネル３０ａを備えた前面化粧体、３１は上皿装置、３２は下皿装置、３３はフロントプレートであり、このフロントプレート３３の上に遊技盤１が載置され、また、このフロントプレート３３には球発射装置３４が取付けられている。前面化粧体３０、上皿装置３１、下皿装置３２は図示しないヒンジを介して開閉枠８に対して片開き可能に取付けられている。また、遊技盤１の前面１Ｆには遊技領域の周りを装飾する装飾体３５が取付けられている。
【０００３】
【発明が解決しようとする課題】
図柄表示装置５は、図柄表示に関する図柄データ及び制御プログラムを交換すれば、図柄表示パネル５１ａを流用することが可能である。しかし、従来の図柄表示装置５は図柄表示パネル５１ａと図柄表示制御部５１ｂと図柄表示に関する図柄データ及び制御プログラムを格納する記憶手段５２とが構造的に一体となって分離できないようになっていたので、機種交換の際には遊技盤１とともに図柄表示装置５全体を交換しなければならず、図柄表示パネル５１ａを流用することができなかった。
【０００４】
【課題を解決するための手段】
本発明では、図柄表示部と、図柄表示に関する図柄データ及び制御プログラムを格納する記憶手段とを有する図柄表示装置を備え、図柄表示部が、遊技の演出を行う図柄を表示する図柄表示パネルと、記憶手段に格納された図柄データ及び制御プログラムに基づいて図柄表示パネルに図柄を表示させるための制御手段及び画像処理手段を有した図柄表示制御部とを備えたパチンコ機において、遊技盤が取付けられる開閉枠に図柄表示部が取付部材を介して取付けられ、かつ、記憶手段が遊技盤に取付けられたので、機種交換時において図柄表示部を流用できるようになる。すなわち、図柄表示パネルだけでなく、制御手段及び画像処理手段も流用できる。
【０００５】
【発明の実施の形態】
図１に基づいて本発明による遊技機の実施形態を説明する。尚、図３の従来例と同一部分又は相当部分は同一符号を付して詳説を省略する。
実施形態では、図１の遊技機の縦断面に示すように、図柄表示装置６０の図柄表示部６１と図柄表示に関する図柄データ及び制御プログラムを格納するＲＯＭ等の記憶手段６２とを分離し、図柄表示部６１を取付部材としてのブラケット７０を介して開閉枠８の裏機構板８２に取付けるとともに、記憶手段６２を上側部品取付体４を介して遊技盤１に取付けるようにした。図柄表示部６１は、液晶パネルやＬＥＤ等により構成され機種固有の遊技の演出を行う図柄（遊技内容に関連する図柄）を表示する図柄表示パネル６１ａと図柄表示制御部６１ｂとから構成される。また、図示しないが、図柄表示制御部６１ｂは、制御手段（ＣＰＵ）と画像処理手段（ＶＤＰ）とから構成され、制御手段は制御プログラムに基づいて画像処理手段に制御信号を送り、画像処理手段は制御信号に基づいて図柄データをアクセスし、所望の図柄を図柄表示パネル６１ａに表示させる。よって、機種交換の際に、図柄表示に関する古い図柄データ及び制御プログラムを格納した記憶手段６２が取付けられていた古い遊技盤１を取外し、新機種のための図柄表示に関する新しい図柄データ及び制御プログラムを格納した記憶手段６２が取付けられている新しい遊技盤１を開閉枠８に取付け、開閉枠８に取付けられている以前の図柄表示部６１と新しい遊技盤１に取付けられている記憶手段６２とをコネクタ等を介して信号線６５で接続すれば、図柄表示パネル６１ａに新機種に対応した図柄を表示させることができる。即ち、機種交換の際に図柄表示部６１を流用することが可能となる。
【０００６】
尚、ブラケット７０は、一端が裏機構板８２にねじ止めされ、他端に図柄表示部６１の取付ブラケット６０ａをねじ止めすればよい。また、図１では裏機構板８２の上下からブラケット７０を設けて上下から図柄表示部６１を支えるようにしているが、裏機構板８２の左右からブラケット７０を設けて図柄表示部６１を支えるようにしてもよいし、裏機構板８２の上下左右からブラケット７０を設けて上下左右から図柄表示部６１を支えるようにしてもよい。また、遊技盤１及び裏機構板８２の裏側には、各種制御装置、タンク、球誘導樋、部品取付体等の多くの遊技部品があるので、これらと緩衝しないようにブラケット７０の取付位置やブラケット７０の形状を設計すればよい。
【０００７】
また、上記では、図柄表示パネル６１ａと図柄表示制御部６１ｂとが一体となった図柄表示部６１を開閉枠８に取付けるようにしたが、図柄表示制御部６１ｂの制御手段と画像処理手段が新機種に対応できないような場合には、図柄表示制御部６１ｂと記憶手段６２とを一体にして遊技盤１に取付け、図柄表示パネル６１ａだけを開閉枠８に取付けるようにし、図柄表示パネル６１ａだけを流用するようにしてもよい。また、上記では、パチンコ機の特別図柄表示装置を例にしたが、本発明はパチンコ機の機種固有の遊技の演出を行う普通図柄表示装置やその他の図柄表示装置であっても同様に構成できる。
【図面の簡単な説明】
【図１】  本発明の実施形態による遊技機を示す縦断面図。
【図２】  従来の遊技機の分解斜視図。
【図３】  従来の遊技機を示す縦断面図。
【符号の説明】
１  遊技盤、８  開閉枠、６０  図柄表示装置、６１  図柄表示部、６１ａ  図柄表示パネル、６１ｂ  図柄表示制御部（制御手段及び画像処理手段）、６２  記憶手段、７０  ブラケット（取付部材）。
【図１】
0004265886.tif 000002
【図２】
0004265886.tif 000003
【図３】
0004265886.tif 000004